(57)【特許請求の範囲】
【請求項１】
管状の外針及び該外針の基端部が固定される外針基と、
前記外針及び外針基の内部に挿通可能な内針及び該内針の基端部が固定される内針基と、
前記内針基を軸方向及び径方向に移動可能に収納する筒状の筐体と、
前記外針基を取外し自在に保持し、前記筐体に対して所定の第１位置から前記外針の針先方向の第２位置まで移動可能な移動部材と、
前記内針基を前記筐体の基端方向へ付勢する付勢部材とを備え、
前記移動部材は、前記第１位置にあるときに前記筐体内での前記内針基の径方向の移動を阻止する移動阻止部と、前記第２位置にあるときに前記内針基を前記筐体内で径方向に押圧して径方向に移動させる押圧部とを有し、
前記内針基は、前記移動部材が前記第１位置にあるときは、前記付勢部材による付勢力に抗して前記筐体の前方位置に係止されると共に、前記移動阻止部によって径方向への移動が阻止され、
前記移動部材が前記第２位置に移動されたときは、前記内針基の前記移動阻止部による径方向への移動阻止が解除され、前記内針基が前記押圧部により前記筐体内で径方向に押圧されて径方向に移動されることにより前記筐体との係止が解除され、前記付勢部材の付勢力により前記筐体の基端方向に移動され、前記内針の先端部が前記筐体内に収容されることを特徴とする留置針組立体。
【請求項２】
前記内針基は、外周面に前記筐体に係止される被係止部と、前記移動部材の押圧部に押圧される被押圧部とが形成され、
前記筐体は、内周面に前記被係止部を係止する係止部と、前記係止部よりも前方位置で前記内針基を支持する支持部とが形成され、
前記付勢部材は、前記筐体の支持部と前記内針基との間に挟持され、
前記移動部材は、前記押圧部が前記筐体内に挿入されて前記内針基の基端部を超えて前記筐体の基端側に配置され、前記移動阻止部が前記内針基を挟んで前記押圧部の反対側に配置されていることを特徴とする請求項１に記載の留置針組立体。
【請求項３】
前記移動部材が前記第１位置から第２位置へ移動されるとき、該移動部材が前記筐体から抜けるのを防止する抜け防止機構と、該移動部材が該第２位置へ移動された後、該移動部材が該第１位置の方へ戻るのを防止する戻り防止機構とを備えることを特徴とする請求項１又は２に記載の留置針組立体。
【発明の詳細な説明】
【技術分野】
【０００１】
本発明は、血管等に穿刺されて輸液ライン等との接続に用いられる留置針を備える留置針組立体に関する。
【背景技術】
【０００２】
従来、外針に内針を挿入し、内針に案内させて外針を血管等に穿刺した後、内針を抜去して留置された外針に輸液ラインを接続するようにした留置針が知られている。しかし、従来の留置針では外針から内針を抜去する際に、血管に留置した外針から患者の血液が流出して医師や看護師に付着したり、抜去した内針を医師や看護師に誤って穿刺したりすることがある。このとき、患者がＨＩＶ等の感染症の患者である場合、付着した血液や誤穿刺により医師や看護師が罹患するおそれがある。
【０００３】
そこで、内針と、内針を出入自在に設けたケースと、内針とケースとの間に取り付けられたバネとを備える留置針組立体が知られている（例えば特許文献１参照）。この留置針組立体では、内針がケースから突出しているときは、バネが、内針をケース内に収納する方向に付勢した状態でストッパにより係止されている。そして、医師や看護師が、ストッパを直接操作し、バネがストッパにより係止された状態を解除すると、内針がバネの弾性力により後退して穿刺部位から抜去され、ケース内に収納される。
【０００４】
この留置針組立体によれば、抜去された内針はケース内に収納されるので、医師や看護師に対する内針の誤穿刺を防止することができる。
【先行技術文献】
【特許文献】
【０００５】
【特許文献１】特開２００４−４９６０７号公報
【発明の概要】
【発明が解決しようとする課題】
【０００６】
しかしながら、特許文献１の留置針組立体によれば、医師や看護師が、穿針後にストッパを別途操作し、バネがストッパにより係止された状態を解除しなければ、バネの弾性力による内針の後退を発動することができないという不都合がある。
【０００７】
本発明の目的は、かかる従来技術の問題点に鑑み、穿刺後に格別の操作を要することなく内針を筐体内に収納できる留置針組立体を提供することにある。
【課題を解決するための手段】
【０００８】
本発明に係る留置針組立体は、管状の外針及び該外針の基端部が固定される外針基と、前記外針及び外針基の内部に挿通可能な内針及び該内針の基端部が固定される内針基と、前記内針基を軸方向及び径方向に移動可能に収納する筒状の筐体と、前記外針基を取外し自在に保持し、前記筐体に対して所定の第１位置から前記外針の針先方向の第２位置まで移動可能な移動部材と、前記内針基を前記筐体の基端方向へ付勢する付勢部材とを備え、前記移動部材は、前記第１位置にあるときに前記筐体内での前記内針基の径方向の移動を阻止する移動阻止部と、前記第２位置にあるときに前記内針基を前記筐体内で径方向に押圧して径方向に移動させる押圧部とを有し、前記内針基は、前記移動部材が前記第１位置にあるときは、前記付勢部材による付勢力に抗して前記筐体の前方位置に係止されると共に、前記移動阻止部によって径方向への移動が阻止され、前記移動部材が前記第２位置に移動されたときは、前記内針基の前記移動阻止部による径方向への移動阻止が解除され、前記内針基が前記押圧部により前記筐体内で径方向に押圧されて径方向に移動されることにより前記筐体との係止が解除され、前記付勢部材の付勢力により前記筐体の基端方向に移動され、前記内針の先端部が前記筐体内に収容されることを特徴とする。
【０００９】
本発明によれば、筐体を保持して対象部位に内針及び外針を穿刺した後、筐体を保持している手の親指又は人差し指で移動部材を第２位置へ移動させて外針のみを前進させる操作を行うだけで、内針基は、径方向への移動阻止が解除され、筐体との係止が解除され、付勢部材により筐体の基端方向へ移動されるので、格別の操作を要することなく内針を筐体内に収納することができる。
【００１０】
本発明においては、前記内針基は、外周面に前記筐体に係止される被係止部と、前記移動部材の押圧部に押圧される被押圧部とが形成され、前記筐体は、内周面に前記被係止部を係止する係止部と、前記係止部よりも前方位置で前記内針基を支持する支持部とが形成され、前記付勢部材は、前記筐体の支持部と前記内針基との間に挟持され、前記移動部材は、前記押圧部が前記筐体内に挿入されて前記内針基の基端部を超えて前記筐体の基端側に配置され、前記移動阻止部が前記内針基を挟んで前記押圧部の反対側に配置されていてもよい。
【００１１】
これによれば、移動部材が第１位置に位置するときに必要な内針基の筐体前方位置における係止及び径方向への移動阻止と、移動部材が第２位置へ移動したときに必要な該径方向への移動阻止の解除及び該筐体との係止の解除を、簡便な構成により実現することができる。
【００１２】
また、本発明においては、前記移動部材が前記第１位置から第２位置へ移動されるとき、該移動部材が前記筺体から抜けるのを防止する抜け防止機構と、該移動部材が該第２位置へ移動された後、該移動部材が該第１位置の方へ戻るのを防止する戻り防止機構とを備えていてもよい。
【００１３】
これによれば、移動部材が筺体から抜け落ちて穿刺部位に損傷を与えたり、移動部材が第１位置の方へ戻って移動部材の先端から内針が露出したりするのを防止することができる。
【図面の簡単な説明】
【００１４】
【図１】本発明の一実施形態に係る留置針組立体の分解斜視図である。
【図２】図１の留置針組立体における内針基の詳細を示す図である。
【図３】図１の留置針組立体におけるストッパの詳細を示す図である。
【図４】図１の留置針組立体におけるケースの詳細を示す図である。
【図５】図１の留置針組立体における外筒の詳細を示す図である。
【図６】図１の留置針組立体におけるケースが移動するときの様子を示す断面図である。
【図７】図１の留置針組立体におけるケースの張出し部が外筒の戻り防止部を乗り越えたときの様子を示す図である。
【図８】図１の留置針組立体における操作部の別の例を示す図である。
【発明を実施するための形態】
【００１５】
以下、図面を用いて本発明の実施形態を説明する。図１は本発明の一実施形態に係る留置針組立体の分解斜視図である。
【００１６】
図１に示すように、留置針組立体１は、対象部位に留置される留置部２と、留置部２に挿入される内針３と、内針３の基端部が固定される内針基４と、内針基４を軸方向及び径方向に移動可能に収納して保持する筐体５と、筐体５の先端部に対し、所定の第１位置からその先端側の第２位置へ摺動し得るように取り付けられるケース６と、内針基４を、筐体５の基端方向へ付勢する圧縮スプリング７とを備える。
【００１７】
ケース６は、本発明における移動部材を構成する。また、圧縮スプリング７は、本発明における付勢部材を構成する。なお、第１位置は、後述するように、図６(ａ)におけるケース６の位置であり、第２位置は、図６（ｃ）及び（ｄ）におけるケース６の位置である。
【００１８】
留置部２は、管状の外針２１と、外針２１の基端部が固定された外針基２２とを備える。外針２１は、先端部に削ぎ竹状の穿刺部２１ａを備える。内針３は、その先端が外針２１の先端から突出するように、外針２１及び外針基２２の内部に挿入される。筐体５は、外筒８と、外筒８に固定されるストッパ９とを備える。筐体５の先端部には、プロテクタ１０が取り付けられ、留置部２や内針３が保護される。
【００１９】
図２は、内針基４の詳細を示す。図２（ａ）は平面図、図２（ｂ）は正面図、図２（ｃ）は左側面図、図２（ｄ）は右側面図、図２（ｅ）は図２（ｃ）のＡ−Ａ断面図、そして図２（ｆ）は図２（ｂ）のＢ−Ｂ断面図である。
【００２０】
図２に示すように、内針基４は、内針３が挿入され、固定される中空円筒状の内針固定部４１と、内針固定部４１の基端側に隣接し、内針固定部４１よりも径が大きい中空円筒状の穿刺確認部４２と、穿刺確認部４２の基端側に隣接し、穿刺確認部４２よりも径が大きい中空円筒状のフィルタ挿入部４３とを備える。内針固定部４１から穿刺確認部４２へ移行する部分は、圧縮スプリング７により押圧される段差部４４となっている。
【００２１】
フィルタ挿入部４３側面の上方側には、ケース６が第１位置から第２位置へ移動されるときにケース６により下方へ押下される突出部４５が設けられる。突出部４５には、該押下を可能にするための傾斜面が設けられる。突出部４５は、本発明における被押圧部を構成する。
【００２２】
穿刺確認部４２側面の上方側には溝部４６が設けられる。溝部４６は、内針基４の軸線に直交する方向に沿って延在する。溝部４６を構成する両側の内面のうちの内針基４先端側の面は、ストッパ９により支持される被支持面４６ａとなっている。被支持面４６ａは本発明における被係止部を構成する。
【００２３】
図２（ｆ）のように、穿刺確認部４２の左右方向両側の側面は、内針基４の軸線に平行に上下方向に延びる切断面において若干切断されたような形状を有する。留置針組立体１をコンパクトなものとするためである。溝部４６は、この一方の切断面から他方の切断面まで延在する。
【００２４】
穿刺確認部４２で生じる血液のフラッシュバックを視認できるように、穿刺確認部４２の周囲は透明の部材で構成される。フィルタ挿入部４３には、気体のみを通過させ、液体の通過を抑制するフィルタ（散気栓）４７（図１）が挿入される。
【００２５】
図３は、ストッパ９の詳細を示す。図３（ａ）は上面図、図３（ｂ）は正面図、図３（ｃ）は下面図、図３（ｄ）は左側面図、図３（ｅ）は右側面図、図３（ｆ）は図３（ｄ）のＡ−Ａ断面図、図３（ｇ）は図３（ｂ）のＢ−Ｂ断面図、そして図３（ｈ）は図３（ｂ）のＣ−Ｃ断面図である。
【００２６】
図３に示すように、ストッパ９は、内針基４の溝部４６に嵌合する凸部９１と、凸部９１のストッパ９先端側に隣接する半円筒状の半円筒部９２と、半円筒部９２の先端面を構成し、内針基４の先端側を支持する支持部９３と、凸部９１のストッパ９基端側に隣接する部分円筒部９４と、筐体５の基端面を構成する円盤状の基端部材９５と、部分円筒部９４及び基端部材９５間を連結する連結部９６とを備える。
【００２７】
半円筒部９２は、内針基４の溝部４６より先端側の部分の上側半分を覆う。連結部９６は、その存在範囲において、筐体５の上部を構成する。部分円筒部９４は、その存在範囲において、図３（ｈ）のように、筐体５の上部から、筐体５の基端方向に見て右側の上下方向半分までを構成する。
【００２８】
支持部９３は、内針基４を基端方向へ抜去し得るように、かつ内針基４の基端側が所定の支持位置から支持解除位置まで揺動して径方向へ移動し得るように、内針基４の先端側を支持する。なお、後述のように、内針基４は、支持解除位置まで揺動した場合、圧縮スプリング７の付勢力により支持部９３から抜去されることになる。
【００２９】
凸部９１は、図３（ｇ）のように、内針基４の溝部４６との嵌合に適合した形状を有する。凸部９１のストッパ９先端側の面は、内針基４の被支持面４６ａを支持する支持面９１ａとなっている。支持面９１ａは、内針基４が上述の支持位置に位置するときに圧縮スプリング７による付勢力に抗して被支持面４６ａを支持し、かつ内針基４が上述の支持解除位置まで揺動されたときに該支持が解除されるように形成される。支持面９１ａは、本発明における係止部を構成する。
【００３０】
支持部９３は、ストッパ９の先端側端部に設けられ、下端が開放された部分円環状で平板状の部材として構成される。該円環の軸線は、筐体５の軸線に一致する。半円筒部９２の外径及び内径はそれぞれ、部分円筒部９４の外径及び内径よりも小さい。半円筒部９２の内径は、内針基４の穿刺確認部４２の外径と同程度の大きさを有する。
【００３１】
図４は、ケース６の詳細を示す。図４（ａ）は上面図、図４（ｂ）は正面図、図４（ｃ）は左側面図、図４（ｄ）は右側面図、図４（ｅ）は図４（ｃ）のＡ−Ａ断面図、そして図４（ｆ）は図４（ｂ）のＢ−Ｂ断面図の一部である。
【００３２】
図４に示すように、ケース６は、外針基２２の基端部が外嵌されて取外し自在に取り付けられる中空円筒状の外針基取付部６１と、外針基取付部６１の基端側に隣接し、ストッパ９の半円筒部９２が嵌合される中空円筒状の円筒部６２と、円筒部６２の基端側に隣接する部分円筒状の揺動阻止部６３と、円筒部６２の上部に設けられ、ケース６を第１位置から第２位置へ移動させるための操作部６４とを備える。揺動阻止部６３は、内針基４の径方向の移動を阻止するものであり、本発明の移動阻止部を構成する。
【００３３】
揺動阻止部６３は、ケース６が第１位置に位置するときに上述の揺動（径方向への移動）を阻止しかつケース６が第２位置へ移動するときに該阻止を解除するように形成される。この目的のために、揺動阻止部６３の内面は、内針基４のフィルタ挿入部４３の側面の、内針基４の先端方向に見て右側を覆う半円筒状の形状を有し、フィルタ挿入部４３の外径にほぼ等しい径を有する。
【００３４】
揺動阻止部６３の基端側には、ケース６が第２位置へ移動するときに内針基４の突出部４５と接触して突出部４５を下方に押下し、内針基４に上述の揺動を生じさせる押圧部６５を備える。押圧部６５は、ストッパ９の凸部９１と協働して抜け防止機構を構成する。すなわち、押圧部６５は、ケース６が第１位置から第２位置へ移動されるときにストッパ９の凸部９１に接触し、ケース６が筐体５から抜け落ちるのを防止する。
【００３５】
すなわち、ケース６は、押圧部６５が筐体５内に挿入されて内針基４の基端部を超えて筐体５の基端側に配置され、揺動阻止部６３が内針基４を挟んで押圧部６５の反対側に配置されている。
【００３６】
操作部６４の上面は、筐体５を保持している手の親指又は人差し指でケース６を筐体５の先端方向に押しやすいように、先端側がやや上方に反り返った面となっている。操作部６４と円筒部６２との間は、円筒部６２と同じ長さで一定の横幅を有する結合部６６を介して結合されている。ただし、結合部６６の、ケース６の先端方向に見て左側の側面の後端部には、左側に張り出した張出し部６７が設けられる。
【００３７】
張出し部６７は、ケース６が第１位置から第２位置へ移動されたとき、後述する外筒８の戻り防止部８２と協働して、第１位置の方へ戻るのを阻止する。そのために、張出し部６７の第１位置側は移動方向に垂直な面となっており、第２位置側は傾斜面となっている。
【００３８】
図５は外筒８の詳細を示す。図５（ａ）は平面図、図５（ｂ）は正面図、そして図５（ｃ）は右側面図である。図５に示すように、外筒８は、底面及び上面のない中空円筒状の形状を有する。ただし、外筒８の上部は、基端から先端までの全体にわたってスリット状に開放しているスリット部８１となっている。
【００３９】
スリット部８１の先端側は、ケース６の結合部６６の横幅と同等の幅を有し、結合部６６を第１位置から第２位置まで案内する案内部８１ａとなっている。案内部８１ａの基端側に隣接するスリット部８１の部分は、ストッパ９の連結部９６の幅に適合した一定の幅を有する。
【００４０】
スリット部８１の先端側には、上述のケース６の張出し部６７と協働して戻り防止機構を構成する戻り防止部８２が設けられる。戻り防止部８２は、スリット部８１からの切れ込みにより形成され、スリット部８１の長さ方向に延びた片持ち梁状の部分の自由端において、スリット部８１内に突出した部分として構成される。これにより戻り防止部８２は、ケース６が第１位置から第２位置へ移動するときに、ケース６の張出し部６７によって弾性的に押圧され、復帰することができるようになっている。
【００４１】
戻り防止部８２の外筒８基端側の面は張出し部６７が乗り越え易いように傾斜面となっている。戻り防止部８２の外筒８先端側の面は、乗り越えた張出し部６７が基に戻るのを阻止できるように、外筒８の軸線に垂直な面となっている。
【００４２】
留置針組立体１の組立は次のようにして行われる。すなわち、図１〜図５から理解されるように、まず、圧縮スプリング７を圧縮しながら、その一端が、内針基４の段差部４４を押圧するようにして、内針基４の内針固定部４１に装着する。
【００４３】
次に、内針基４に対し、ストッパ９を上方から装着する。すなわち、ストッパ９先端の支持部９３に内針固定部４１が嵌合して支持部９３が圧縮スプリング７の他端を押圧し、かつ内針基４の溝部４６にストッパ９の凸部９１が嵌合するように、内針基４に対してストッパ９を配置する。このとき、ストッパ９の支持面９１ａは、圧縮スプリング７の付勢力に抗して、内針基４の被支持面４６ａを支持することになる。
【００４４】
これにより、内針基４の先端側は、支持部９３により、内針基４の基端側が下方に揺動し得るように支持される。ただし、内針基４の基端側は、被支持面４６ａが支持面９１ａで支持されるので、ストッパ９に固定される。
【００４５】
次に、ケース６を、図１の姿勢状態から、ケース６の先端側に向かって時計回りに９０°程度回転させた状態で、ストッパ９の半円筒部９２がケース６の円筒部６２に嵌合するように、ストッパ９の先端側から基端方向に移動させる。ストッパ９先端の支持部９３が、ケース６の円筒部６２の先端側端部に達すると、ケース６を、先端側に向かって反時計回りに９０°程度回転させる。
【００４６】
これにより、ケース６は、ストッパ９に対し、第１位置に取り付けられたことになる。このとき、ケース６の揺動阻止部６３は、内針基４のフィルタ挿入部４３の、先端側に向かって右側を覆い、フィルタ挿入部４３が支持部９３を中心として下方向に揺動するのを阻止した状態となる。
【００４７】
また、押圧部６５は、ストッパ９の内側において、その先端方向に位置する内針基４の突出部４５、及びその背後のストッパ９の凸部９１と対峙した状態となる。また、内針基４の内針固定部４１の先端が、ケース６の外針基取付部６１の先端から若干突出した状態となる。
【００４８】
次に、内針３の基端部に接着剤を塗布し、該基端部を内針基４の内針固定部４１に挿入して接着する。そして、内針３にシリコンを塗布する。また、内針３の詰まりが無いことを確認する。さらに、内針基４のフィルタ挿入部４３に、上述のフィルタ（散気栓）４７を挿入する。
【００４９】
次に、円筒部６２を先端側から外筒８の基端部に挿入し、外筒８の基端がストッパ９の基端部材９５に接するまで、外筒８を、ケース６及びストッパ９に対してスライドさせる。このとき、ケース６の結合部６６と、ストッパ９の連結部９６とが、外筒８のスリット部８１によって案内される。
【００５０】
外筒８の基端がストッパ９の基端部材９５に接すると、外筒８の基端と基端部材９５との間に溶剤を付与して外筒８とストッパ９とを結合させる。これにより、外筒８の装着が完了し、ケース６は第１位置に位置した状態となる。
【００５１】
次に、ケース６の外針基取付部６１を留置部２の外針基２２に嵌合することにより、留置部２をケース６に取り付ける。さらに、外筒８の先端部をプロテクタ１０の基端部に挿入してプロテクタ１０を外筒８に取り付ける。これにより、留置針組立体１の組立てが完了する。
【００５２】
留置針組立体１の使用に際しては、まず、留置針組立体１からプロテクタ１０を取り外し、外針２１を露出させる。そして、外針基２２がケース６の外針基取付部６１に確実に取り付けられていることを確認する。次に、筐体５を保持し、内針３及び外針２１を、血管の対象部位に穿刺する。このとき、内針３及び外針２１が血管に穿刺されたことは、内針基４の穿刺確認部４２において、血液のフラッシュバックが生じることにより確認することができる。
【００５３】
なお、内針基４の基端部は、フィルタ挿入部４３に挿入されたフィルタ（散気栓）４７により閉塞されているので、内針基４の基端部から血液が流出することはなく、かつ先端側への血液の逆流が制限される。
【００５４】
次に、外針２１及び内針３を寝かせて血管に対する穿刺角度を浅くし、さらに数ｍｍ程度血管内に送る。次に、操作部６４を、筐体５を保持している手の親指又は人差し指で押すことにより、外針２１のみを血管内へさらに送出する。このとき、ケース６は、第１位置から第２位置へ移動する。
【００５５】
図６は、ケース６が第１位置から第２位置へ移動するときの様子を示す断面図である。ケース６が第１位置に位置するとき、図６（ａ）に示すように、内針基４は、内針固定部４１の先端側がストッパ９の支持部９３によって揺動可能に支持され、ストッパ９の支持面９１ａにより、圧縮スプリング７の付勢力に抗して、内針基４の被支持面４６ａを介して支持されている。また、ケース６の揺動阻止部６３がフィルタ挿入部４３下部の、先端側に向かって右半分程度を覆っていることにより、フィルタ挿入部４３の下方への揺動が阻止されている。
【００５６】
この状態において、上述のようにしてケース６が図６（ａ）の第１位置から先端方向へ移動され、第２位置近傍に至ると、図６（ｂ）のように、揺動阻止部６３がフィルタ挿入部４３の位置から外れて、フィルタ挿入部４３よりも径の小さな穿刺確認部４２の位置に移動する。これにより、揺動阻止部６３による内針基４の揺動の阻止が解除されることになる。
【００５７】
そして、ケース６が第２位置に至ると、図６（ｃ）のように、ケース６の押圧部６５が内針基４の突出部４５に接触し、突出部４５を押下する。これにより、内針基４がストッパ９の支持部９３を中心として揺動し、内針基４のフィルタ挿入部４３が下方に変位する。これに伴い、ストッパ９の支持面９１ａは下方に変位し、内針基４の被支持面４６ａを支持し得る位置から外れる。これにより、支持面９１ａによる被支持面４６ａの支持が解除される。
【００５８】
これにより、図６（ｄ）のように、圧縮スプリング７が伸張し、内針基４をストッパ９の基端部材９５に接するまで移動させる。これに伴い、内針基４に固定された内針３は外針２１から引き抜かれ、筐体５内に収容される。
【００５９】
なお、ケース６が第２位置に到達すると、図６（ｃ）のように、ケース６の押圧部６５がストッパ９の凸部９１に接触するので、ケース６のそれ以上の移動は阻止される。また、ケース６が第２位置に到達するとき、ケース６の張出し部６７が外筒８の戻り防止部８２を乗り越える。これにより、図７のように、張出し部６７のケース６基端側端面が、戻り防止部８２のケース６先端側端面と対向した状態となるので、第２位置に到達したケース６は、第１位置の方向へ戻ることが不能となる。
【００６０】
この後、ケース６の外針基取付部６１を外針基２２から取り外すことにより、外針基２２を伴う外針２１を、対象部位に留置することができる。留置された外針基２２に輸液ライン等を接続することにより、輸液等の処置が施される。
【００６１】
以上のように、本実施形態によれば、筐体５を保持して対象部位に内針３及び外針２１を穿刺した後、筐体５を保持している手の親指又は人差し指で操作部６４を押して外針２１のみを血管内へさらに送出するだけで、内針基４の揺動の阻止が解除されて内針基４が揺動し、これにより押圧スプリング７（付勢部材）に抗した内針基４の支持が解除され、押圧スプリング７により内針基４が基端方向へ移動され、内針３が筺体５内へ収容されるので、格別な操作を要することなく内針３を筺体５内に収納することができる。
【００６２】
また、筺体５を、外筒８と、外筒８に固定され、支持部９３及び支持面９１ａを備えたストッパ９とで構成し、押圧スプリング７を、ケース６（移動部材）が第１位置に位置するとき、支持部９３の内面と、内針基４との間に介在させるようにしたため、ストッパ９に対して、支持部９３及び支持面９１ａ間に、圧縮コイルばね７によって内針基４を保持させることができる。
【００６３】
そしてその後に、ケース６や外筒８を容易に組み付けることができる。したがって、留置針組立体１を容易に組み立てることができる。
【００６４】
また、ケース６が第１位置から第２位置へ移動されるとき、ケース６が筺体５から抜けるのを防止する抜け防止機構と、ケース６が第２位置へ移動された後、ケース６が第１位置の方へ戻るのを防止する戻り防止機構とを設けたため、対象部位への穿刺後にケース６が筺体５から抜け落ちて穿刺部位に損傷を与えたり、ケース６が第１位置の方へ戻って穿刺部位から外針２１が外れたりするのを防止することができる。
【００６５】
なお、本発明は上述実施形態に限定されない。例えば、上述においては、ケース６を第２位置へ移動させるための操作部として、先端側がやや上方に反り返った上面を有する操作部６４を採用したが、この代わりに、図８に示すような操作部８３を採用してもよい。図８（ａ）は操作部８３の上面図であり、図８（ｂ）は正面図である。図８に示すように、操作部８３は、前端側の操作面８３ａ及び後端側の操作面８３ｂを有する。操作面８３ａ及び８３ｂはそれぞれ、操作部８３の前端及び後端から中央部にかけて上方に反った形状を有する。
【符号の説明】
【００６６】
１…留置針組立体、２…留置部、３…内針、４…内針基、５…筐体、６…ケース（移動部材）、７…圧縮スプリング（付勢部材）、８…外筒、９…ストッパ、２１…外針、２２…外針基、４５…突出部（被押圧部）、４６ａ…被支持面（被係止部）、６３…揺動阻止部（移動阻止部）、６４，８３…操作部、６５…押圧部、９１ａ…支持面（係止部）、９３…支持部。
【図１】
0005879062.tif 000002
【図２】
0005879062.tif 000003
【図３】
0005879062.tif 000004
【図４】
0005879062.tif 000005
【図５】
0005879062.tif 000006
【図６】
0005879062.tif 000007
【図７】
0005879062.tif 000008
【図８】
0005879062.tif 000009